(57)【要約】【課題】一台の試作用遊技盤を用いて遊技釘の配置パターン等を種々変更しながら遊技球の流下試験を行う試行錯誤的な手順による設計を可能とする試作用遊技盤ユニットを提供する。【解決手段】盤面に植設された固定遊技釘５、及び該盤面に貫通形成された貫通穴１０を備えた試作用遊技盤２と、試作用遊技盤の背面側に配置されて貫通穴から遊技盤前方へ出没する可動遊技釘１５と、を備え、前記試作用遊技盤は、前記貫通穴を回避した盤面に固定遊技釘を植設した構成を備えた。【選択図】図１
2011000313.tif 000002
【特許請求の範囲】
【請求項１】
盤面に貫通穴を備えた試作用遊技盤と、該試作用遊技盤の背面側に配置されて前記貫通穴から遊技盤前方へ出没する可動遊技釘と、を備えたことを特徴とする試作用遊技盤ユニット。
【請求項２】
前記試作用遊技盤は、前記貫通穴を回避した盤面に固定遊技釘を植設した構成を備えていることを特徴とする請求項１に記載の試作用遊技盤ユニット。
【請求項３】
前記貫通穴は、前記可動遊技釘を一本ずつ挿通させる釘挿通孔であることを特徴とする請求項１、又は２に記載の試作用遊技盤ユニット。
【請求項４】
前記可動遊技釘は、可動遊技釘支持部材によって支持され、該可動遊技釘支持部材によって前後方向へ進退することを特徴とする請求項１乃至３の何れか一項に記載の試作用遊技盤ユニット。
【請求項５】
前記貫通穴は、複数の前記可動遊技釘を支持した可動遊技釘支持部材の一部を嵌合させる嵌合穴であることを特徴とする請求項１乃至３の何れか一項に記載の試作用遊技盤ユニット。
【請求項６】
前記可動遊技釘支持部材には、前記可動遊技釘を着脱自在に装着する釘穴が形成されていることを特徴とする請求項４、又は５に記載の試作用遊技盤ユニット。
【請求項７】
前記貫通穴を閉塞する蓋部材が前記釘穴に着脱自在に構成されていることを特徴とする請求項６に記載の試作用遊技盤ユニット。
【請求項８】
請求項１乃至７の何れか一項に記載の試作用遊技盤ユニットを備えたことを特徴とする試作用遊技機。
【発明の詳細な説明】
【技術分野】
【０００１】
本発明は遊技釘の配置パターン、本数等の規格をレイアウトするのに好適な試作用遊技盤の改良に関し、特に一台の試作用遊技盤を用いて遊技釘の配置パターン等を種々変更しながら遊技球の流下試験を行う試行錯誤的な設計を可能とする試作用遊技盤ユニットに関する。
【背景技術】
【０００２】
パチンコ遊技機を構成する遊技盤の前面には、遊技球の流下方向に変化を与える手段として遊技釘が植設されているが、パチンコ遊技機の試作段階において遊技釘が遊技球の流下状況に与える影響を確認するためには試作用の遊技盤を使用した実験が実施される。即ち、遊技釘の配置パターン、配置間隔、本数等が実際の遊技球にどのような影響を与えるかは、試作用の遊技盤を用いた実験無しでは確認することが難しい。
従って、試作用遊技盤に設計通りの配列パターン等にて釘を植設して遊技球を試打した結果、当初の意図とは異なる遊技球の流下状況となることが判明した場合には、遊技釘の位置の微調整、増設、除去等が必要となる。特に、始動入賞口に遊技球を導く道釘については、遊技釘の配列パターン等を如何に設定するかが重要な要素となるが、既存の遊技釘を抜いて植設し直すなどにより位置を微調整することはできない。一旦遊技釘を抜くと釘穴が残るために、釘穴が遊技球に干渉してその正確な流路を知ることができなくなるからである。
このため、遊技釘数の増減、位置変更を行うためには、遊技釘を打ち直した遊技盤を新たに製作する必要がある。
【０００３】
しかし、新たな試作用遊技盤を製作するためには、新品の遊技盤面に多数の下孔を形成した上で、これらの下孔内に遊技釘を打ち込む作業が必要となり、これが製作コスト増と設計期間の長期化を招く原因となっている。
特開２００８−１６１４６２公報には、道釘の一部をセンター飾りの一部によって代替えする技術が提案されているが、遊技釘自体の配列パターン等のレイアウトを容易化するものではなく、遊技釘の増減、配置の変更等が必要となった場合には試作用遊技盤を作り直す必要があるという点ではメリットはない。
【先行技術文献】
【特許文献】
【０００４】
【特許文献１】特開２００８−１６１４６２公報
【発明の概要】
【発明が解決しようとする課題】
【０００５】
以上のように試作用遊技盤を用いて試打することによって遊技釘の配列、本数の変更が必要であることが判明した場合には、既設の遊技釘を抜いた上で新たな遊技釘を打設することができないため、遊技釘を打ち直した新たな試作用遊技盤を製作する必要があった。このため、遊技釘の配置について試行錯誤を繰り返すたびに新たに試作用遊技盤を製作する必要が発生し、コスト増、製作期間の長期化を招く原因となっていた。
本発明は上記に鑑みてなされたものであり、一台の試作用遊技盤を用いて遊技釘の配置パターン等を種々変更しながら遊技球の流下試験を行う試行錯誤的な手順による設計を可能とする試作用遊技盤ユニットを提供することを目的としている。
【課題を解決するための手段】
【０００６】
上記目的を達成するため、請求項１の発明に係る試作用遊技盤ユニットは、盤面に貫通穴を備えた試作用遊技盤と、該試作用遊技盤の背面側に配置されて前記貫通穴から遊技盤前方へ出没する可動遊技釘と、を備えたことを特徴とする。
請求項２の発明は、前記試作用遊技盤は、前記貫通穴を回避した盤面に固定遊技釘を植設した構成を備えていることを特徴とする。
請求項３の発明は、前記貫通穴は、前記可動遊技釘を一本ずつ挿通させる釘挿通孔であることを特徴とする。
請求項４の発明は、前記可動遊技釘は、可動遊技釘支持部材によって支持され、該可動遊技釘支持部材によって前後方向へ進退することを特徴とする。
【０００７】
請求項５の発明は、前記貫通穴は、複数の前記可動遊技釘を支持した可動遊技釘支持部材の一部を嵌合させる嵌合穴であることを特徴とする。
請求項６の発明は、前記可動遊技釘支持部材には、前記可動遊技釘を着脱自在に装着する釘穴が形成されていることを特徴とする。
請求項７の発明は、前記貫通穴を閉塞する蓋部材が前記釘穴に着脱自在に構成されていることを特徴とする。
請求項８の発明に係る試作用遊技機は、請求項１乃至７の何れか一項に記載の試作用遊技盤ユニットを備えたことを特徴とする。
【発明の効果】
【０００８】
本発明に係る試作用遊技盤ユニットによれば、遊技釘の配置パターン、本数等の規格をレイアウトするのに好適な試作用遊技盤を提供することができる。特に一台の試作用遊技盤を用いて遊技釘の配置パターン等を種々変更しながら遊技球の流下試験を行う試行錯誤的な設計が可能となる。
【図面の簡単な説明】
【０００９】
【図１】本発明の一実施形態に係る試作用遊技盤ユニットの正面側斜視図である。
【図２】図１の試作用遊技盤ユニットの背面側斜視図である。
【図３】図１の試作用遊技盤ユニットの背面図である。
【図４】支持部材により支持された可動遊技釘の状態を示す斜視図である。
【図５】本発明の他の実施形態に係る試作用遊技盤ユニットの構成を示す正面斜視図である。
【図６】図５の実施形態に係る試作用遊技盤ユニットの背面斜視図である。
【図７】図５の実施形態に係る試作用遊技盤ユニットの背面図である。
【図８】図５の実施形態に係る試作用遊技盤ユニットの要部構成を示す斜視図である。
【図９】本発明の変形例の構成を説明するための断面図である。
【図１０】本発明の変形例の構成を説明するための断面図である。
【発明を実施するための形態】
【００１０】
以下、本発明を図面に示した実施の形態により詳細に説明する。
図１は本発明の一実施形態に係る試作用遊技盤ユニットの正面側斜視図であり、図２はその背面側斜視図であり、図３は背面図であり、図４は支持部材により支持された可動遊技釘の状態を示す斜視図である。
試作用遊技盤ユニット１は、パチンコ遊技機を製作するための設計段階において、遊技盤面に配置した遊技釘やその他の盤面部品が遊技球の流下状態に実際に与える影響を判断するための試作機に装備される。
試作用遊技盤ユニット１は、試作用遊技盤２と、試作用遊技盤２の盤面に植設された固定遊技釘５と、盤面に貫通形成された貫通穴１０と、試作用遊技盤２の背面側に配置されて貫通穴１０から遊技盤前方へ出没する可動遊技釘１５と、複数の可動遊技釘１５を前面に植設した状態で前後動可能な可動遊技釘支持部材（支持部材）２０と、を備えている。
更に、本例の試作用遊技盤２の盤面には、始動入賞装置５０、普通入賞口５１、大入賞口５２、アウト球排出口５３、遊技球ガイドレール５４等が設けられている。
なお、本発明の試作用遊技盤ユニット１は、盤面に貫通穴１０を備えた試作用遊技盤２と、試作用遊技盤の背面側に配置されて貫通穴１０から遊技盤前方へ出没する可動遊技釘１５と、を備えていれば十分であり、固定遊技釘５の存在は必須ではないが、本実施形態では貫通穴１０を回避位置に固定遊技釘５を植設した構成例について説明する。
固定遊技釘５は、遊技球の流下方向を変化させるための手段であり、盤面上の所定の位置に予め植設固定されており、その位置を変更したり、増減させることはできない。
【００１１】
一方、貫通穴１０は、大径の頭部と小径の棒状部から成る可動遊技釘１５を一本ずつ挿通させることができる丸穴状の小孔（釘挿通孔）であり、複数の可動遊技釘１５を貫通穴１０から背面側へ退避した位置と、貫通穴１０から前方へ突出した位置との間で一括して進退させることにより、盤面から突出する遊技釘の数、配置を任意に調整することができる。
可動遊技釘１５は、支持部材２０の前面に植設された状態で支持され、支持部材を前後方向へ進退させることにより、可動遊技釘を一括して貫通穴１０から前方へ突出させたり後方へ退避させることができる。可動遊技釘１５としては、実機に搭載される遊技釘と同じ金属製釘であってもよいし、樹脂材料により構成したダミー釘であってもよい。可動遊技釘１５を樹脂材料により構成する場合には、支持部材２０と一括して成形することができる。
可動遊技釘１５は、支持部材２０の前面に固定的に配置してもよいし、着脱自在に組み付けても良い。即ち、支持部材前面に予め可動遊技釘１５を着脱自在に支持する釘穴を形成しておき、必要に応じて植設本数を調整できるようにしておいてもよい。
支持部材２０は、図２、及び図４に示すように後方へ退避した位置（破線図示）と前方へ突出した位置（実線図示）との間を所定の軌道に沿って進退するように図示しないガイド部材によってガイドされており、手作業によって前後方向へ進退させてもよいし、モータ等の駆動源によって進退させてもよい。
【００１２】
本例では、図示しない発射装置から遊技球ガイドレール５４を経由して試作用遊技盤面に打ち込まれた遊技球を始動入賞装置５０へ導く道釘（群）Ａを構成する固定遊技釘が存在しない盤面部分（道釘間のスペース）に貫通穴１０を形成し、各貫通穴１０から可動遊技釘１５を出没させることにより遊技釘のレイアウト変更を可能としている。道釘Ａは、始動入賞装置５０の左右両側に夫々設けた上下二列（合計４列）の固定遊技釘５群から構成されているため、本例では、各固定釘列に沿って配置された貫通穴１０から可動遊技釘（群）１５が一括して個別に出没するように支持部材２０を４個（２０−１乃至２０−４）設けている（図２、図３）。
可動遊技釘１５は、固定遊技釘５と同径、同長であり、試作用遊技盤面上に突出した場合には、固定遊技釘５と同等に遊技球の流下方向を変化させる機能を発揮する。このため、可動遊技釘１５と固定遊技釘５とから成る遊技釘群によって実機と同等のシミュレーションを実現することができる。また、可動遊技釘１５が貫通穴１０の内部に退避した場合には、可動遊技釘の大径の頭部によって貫通穴１０を塞ぐように退避位置を決めることにより、遊技球の流路が貫通穴との接触によって影響を受ける不具合を防止できる。
【００１３】
次に、図５乃至図８は本発明の他の実施形態に係る試作用遊技盤ユニットの構成を示す正面斜視図、背面斜視図、背面図、及び要部構成を示す斜視図である。
本実施形態に係る試作用遊技盤ユニット１は、試作用遊技盤２と、試作用遊技盤２の盤面に植設された固定遊技釘５と、盤面に貫通形成された貫通穴３０と、試作用遊技盤２の背面側に配置されて貫通穴３０から遊技盤前方へ出没する可動遊技釘１５と、複数の可動遊技釘１５を前面に植設した状態で前後動可能な支持部材４０と、を備えている。
固定遊技釘５は、遊技球の流下方向を変化させるための手段であり、盤面上の所定の位置に予め植設固定されており、その位置を変更したり、増減させることはできない。
【００１４】
一方、貫通穴３０は、複数の可動遊技釘１５を支持した支持部材４０の一部を嵌合させる長穴状の嵌合穴であり、複数の可動遊技釘１５を貫通穴３０から背面側へ退避した位置と、貫通穴３０から前方へ突出した位置との間で一括して進退させることにより、盤面から突出する遊技釘の数、配置を任意に調整することができる。
支持部材４０は、図８に示すように可動遊技釘１５を前面に植設した台座部４１と、台座部４１の底部から張り出したフランジ部４２と、から成り、支持部材４０の前方への移動時には台座部４１が対応する位置にある貫通穴３０内に嵌合してその前面を遊技盤面と面一状になるように保持される。この時、台座部前面の可動遊技釘１５は遊技盤面に突出した状態となる。フランジ部４２が試作用遊技盤の裏面に当接した際に、台座部前面が遊技盤面と面一状態になるように構成するのが好ましい。
【００１５】
一方、支持部材４０が後方へ退避した状態においては、可動遊技釘１５は貫通穴３０から後方へ退避して遊技盤面から非突出状態となる。可動遊技釘１５が貫通穴３０の内部に退避した場合には、可動遊技釘の大径の頭部によって貫通穴３０を塞ぐように退避位置を決めることにより、遊技球の流路が貫通穴との接触によって影響を受ける不具合を防止できる。
可動遊技釘１５は、支持部材４０の台座部４１の前面に固定的に配置してもよいし、着脱自在に組み付けても良い。即ち、図９の断面図に示すように台座部前面に予め可動遊技釘１５を着脱自在に支持する釘穴４０ａを形成しておき、必要に応じて植設本数を調整できるようにしておいてもよい。
なお、上記の各実施形態において、可動遊技釘の退避時に貫通穴１０、３０を塞ぐ手段として可動遊技釘の頭部を利用してもよいが、格別の閉塞手段（蓋部材）を設けても良い。
具体的には、例えば図１０の断面図に示すように支持部材２０（４０）の前面に設けた可動遊技釘１５を着脱するための釘穴４０ａ内に貫通穴１０、３０を塞ぐための蓋部材４５を着脱するように構成してもよい。図示のように支持部材２０（４０）が試作用遊技盤２の裏面に接触した状態において可動遊技釘１５は貫通穴１０、３０から前方へ突出する一方で、蓋部材４５は貫通穴を閉塞することができる。このため、支持部材を前方へ移動させた際に可動遊技釘が突出しない貫通穴を蓋部材４５によって閉止することが可能となり、遊技球の流路が貫通穴によって受ける影響を低減することができる。
【００１６】
このように本発明に係る試作用遊技盤ユニットによれば、遊技釘の配置パターン、本数等の規格をレイアウトするのに好適な試作用遊技盤を提供することができる。特に一台の試作用遊技盤を用いて遊技釘の配置パターン等を種々変更しながら遊技球の流下試験を行う試行錯誤的な設計が可能となる。
本発明に係る試作用遊技盤ユニット１は、パチンコ遊技機等の遊技球を用いた遊技機に装備される遊技盤の試作機に適用することができる。
【符号の説明】
【００１７】
１…試作用遊技盤ユニット、２…試作用遊技盤、５…固定遊技釘、１０…貫通穴、１５…可動遊技釘、２０…支持部材、３０…貫通穴、４０…支持部材、４０ａ…釘穴、４１…台座部、４２…フランジ部、４５…蓋部材、５０…始動入賞装置、５１…普通入賞口、５２…大入賞口、５３…アウト球排出口、５４…遊技球ガイドレール
【図１】
2011000313.tif 000003
【図２】
2011000313.tif 000004
【図３】
2011000313.tif 000005
【図４】
2011000313.tif 000006
【図５】
2011000313.tif 000007
【図６】
2011000313.tif 000008
【図７】
2011000313.tif 000009
【図８】
2011000313.tif 000010
【図９】
2011000313.tif 000011
【図１０】
2011000313.tif 000012